(57)【要約】【課題】  従来より適切なタイミングでログ画像を生成することができる画像出力装置を提供する。【解決手段】  ＭＦＰは、画像を出力するプリンターと、プリンターによる出力画像の元画像を生成する元画像生成手段と、出力画像のログ画像を元画像に基づいて生成するログ画像生成手段と、ログ画像生成手段におけるログ画像の生成のモードの指定を受け付けるログ生成モード受付手段とを備えており、ログ生成モード受付手段によって受け付けられるモードには、１つのジョブの元画像に複数のページが含まれている場合にプリンターによる１ページ分の出力画像の出力が終了する度に（Ｓ１０３でＹＥＳ）このページのログ画像の生成を開始する（Ｓ１０４）ログ生成優先モードと、１つのジョブの元画像に複数のページが含まれている場合にプリンターによる全てのページ分の出力画像の出力が終了した後でログ画像の生成を開始する画像出力優先モードとが含まれている。【選択図】  図４
2014109908.tif 000002
【特許請求の範囲】
【請求項１】
画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段と、前記ログ画像生成手段における前記ログ画像の生成のモードであるログ生成モードの指定を受け付けるログ生成モード受付手段とを備えており、
前記ログ生成モード受付手段によって受け付けられる前記ログ生成モードには、１つのジョブの前記元画像に複数のページが含まれている場合に前記画像出力部による１ページ分の前記出力画像の出力が終了する度にこのページの前記ログ画像の生成を開始するモードであるログ生成優先モードと、１つのジョブの前記元画像に複数のページが含まれている場合に前記画像出力部による全てのページ分の前記出力画像の出力が終了した後で前記ログ画像の生成を開始するモードである画像出力優先モードとが含まれていることを特徴とする画像出力装置。
【請求項２】
前記ログ生成優先モードは、１つのジョブの前記元画像に複数のページが含まれている場合に複数のページの前記ログ画像の生成を同時に実行することを許可するモードであり、
前記画像出力優先モードは、１つのジョブの前記元画像に複数のページが含まれている場合に複数のページの前記ログ画像の生成を同時に実行することを禁止するモードであることを特徴とする請求項１に記載の画像出力装置。
【請求項３】
画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段と、前記ログ画像生成手段における前記ログ画像の生成のモードであるログ生成モードの指定を受け付けるログ生成モード受付手段とを備えており、
前記ログ生成モード受付手段によって受け付けられる前記ログ生成モードには、１つのジョブの前記元画像に複数のページが含まれている場合に複数のページの前記ログ画像の生成を同時に実行することを許可するモードであるログ生成優先モードと、１つのジョブの前記元画像に複数のページが含まれている場合に複数のページの前記ログ画像の生成を同時に実行することを禁止するモードである画像出力優先モードとが含まれていることを特徴とする画像出力装置。
【請求項４】
前記ログ生成優先モードは、複数のジョブの前記ログ画像の生成を同時に実行することを許可するモードであり、
前記画像出力優先モードは、複数のジョブの前記ログ画像の生成を同時に実行することを禁止するモードであることを特徴とする請求項１から請求項３までの何れかに記載の画像出力装置。
【請求項５】
画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段と、前記ログ画像生成手段における前記ログ画像の生成のモードであるログ生成モードの指定を受け付けるログ生成モード受付手段とを備えており、
前記ログ生成モード受付手段によって受け付けられる前記ログ生成モードには、複数のジョブの前記ログ画像の生成を同時に実行することを許可するモードであるログ生成優先モードと、複数のジョブの前記ログ画像の生成を同時に実行することを禁止するモードである画像出力優先モードとが含まれていることを特徴とする画像出力装置。
【請求項６】
請求項１から請求項５までの何れかに記載の画像出力装置と、前記ログ画像を記憶するログ画像記憶装置を備えているログ画像記憶サーバーとを備えており、
前記画像出力装置は、前記ログ画像生成手段によって生成された前記ログ画像を前記ログ画像記憶サーバーに送信するログ画像送信手段を備えており、
前記ログ画像記憶サーバーは、前記画像出力装置から送信されてきた前記ログ画像を前記ログ画像記憶装置に書き込むログ画像書込手段を備えていることを特徴とする画像出力システム。
【請求項７】
画像を出力する画像出力部を備えている画像出力装置によって実行される画像出力プログラムであって、
前記画像出力部によって出力される画像である出力画像の元になる画像である元画像を生成する元画像生成手段、前記出力画像のログとしてのログ画像を前記元画像に基づいて生成するログ画像生成手段、および、前記ログ画像生成手段における前記ログ画像の生成のモードであるログ生成モードの指定を受け付けるログ生成モード受付手段として、前記画像出力装置を機能させ、
前記ログ生成モード受付手段によって受け付けられる前記ログ生成モードには、１つのジョブの前記元画像に複数のページが含まれている場合に前記画像出力部による１ページ分の前記出力画像の出力が終了する度にこのページの前記ログ画像の生成を開始するモードであるログ生成優先モードと、１つのジョブの前記元画像に複数のページが含まれている場合に前記画像出力部による全てのページ分の前記出力画像の出力が終了した後で前記ログ画像の生成を開始するモードである画像出力優先モードとが含まれていることを特徴とする画像出力プログラム。
【請求項８】
画像を出力する画像出力部を備えている画像出力装置によって実行される画像出力プログラムであって、
前記画像出力部によって出力される画像である出力画像の元になる画像である元画像を生成する元画像生成手段、前記出力画像のログとしてのログ画像を前記元画像に基づいて生成するログ画像生成手段、および、前記ログ画像生成手段における前記ログ画像の生成のモードであるログ生成モードの指定を受け付けるログ生成モード受付手段として、前記画像出力装置を機能させ、
前記ログ生成モード受付手段によって受け付けられる前記ログ生成モードには、１つのジョブの前記元画像に複数のページが含まれている場合に複数のページの前記ログ画像の生成を同時に実行することを許可するモードであるログ生成優先モードと、１つのジョブの前記元画像に複数のページが含まれている場合に複数のページの前記ログ画像の生成を同時に実行することを禁止するモードである画像出力優先モードとが含まれていることを特徴とする画像出力プログラム。
【請求項９】
画像を出力する画像出力部を備えている画像出力装置によって実行される画像出力プログラムであって、
前記画像出力部によって出力される画像である出力画像の元になる画像である元画像を生成する元画像生成手段、前記出力画像のログとしてのログ画像を前記元画像に基づいて生成するログ画像生成手段、および、前記ログ画像生成手段における前記ログ画像の生成のモードであるログ生成モードの指定を受け付けるログ生成モード受付手段として、前記画像出力装置を機能させ、
前記ログ生成モード受付手段によって受け付けられる前記ログ生成モードには、複数のジョブの前記ログ画像の生成を同時に実行することを許可するモードであるログ生成優先モードと、複数のジョブの前記ログ画像の生成を同時に実行することを禁止するモードである画像出力優先モードとが含まれていることを特徴とする画像出力プログラム。
【発明の詳細な説明】
【技術分野】
【０００１】
本発明は、出力した画像のログとしてのログ画像を生成する画像出力装置、画像出力システムおよび画像出力プログラムに関する。
【背景技術】
【０００２】
従来の画像出力装置として、画像を印字出力する印字部と、印字部によって印字出力される画像の元になる画像を生成する画像読み取り部と、印字部によって印字出力された画像のログとしてのログファイルを作成するログ作成手段とを備えているものが知られている（特許文献１参照。）。
【先行技術文献】
【特許文献】
【０００３】
【特許文献１】特開２００６−３０３５６３号公報
【発明の概要】
【発明が解決しようとする課題】
【０００４】
しかしながら、従来の画像出力装置においては、印字部による画像の印字出力が完了した後に、ログ作成手段によるログファイルの作成が実行されるので、印字部による画像の印字出力と、ログ作成手段によるログファイルの作成とに時間差が生じ、結果として、画像出力装置における印字出力を管理する管理者などに、印字部によって印字出力された画像のログとしてのログファイルを即時に確認させることができないという問題がある。
【０００５】
そこで、本発明は、従来より適切なタイミングでログ画像を生成することができる画像出力装置を提供することを目的とする。
【課題を解決するための手段】
【０００６】
本発明の画像出力装置は、画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段と、前記ログ画像生成手段における前記ログ画像の生成のモードであるログ生成モードの指定を受け付けるログ生成モード受付手段とを備えており、前記ログ生成モード受付手段によって受け付けられる前記ログ生成モードには、１つのジョブの前記元画像に複数のページが含まれている場合に前記画像出力部による１ページ分の前記出力画像の出力が終了する度にこのページの前記ログ画像の生成を開始するモードであるログ生成優先モードと、１つのジョブの前記元画像に複数のページが含まれている場合に前記画像出力部による全てのページ分の前記出力画像の出力が終了した後で前記ログ画像の生成を開始するモードである画像出力優先モードとが含まれていることを特徴とする。
【０００７】
この構成により、本発明の画像出力装置は、ログ画像の確認者によるログ生成モードの指定に応じたタイミングでログ画像を生成することができる。すなわち、本発明の画像出力装置は、画像の出力の処理が遅くなってでもログ画像の確認者がログ画像を即時に確認することを希望する場合には、１つのジョブの元画像に複数のページが含まれているときに、１ページ分の出力画像の出力が終了する度にこのページのログ画像の生成を開始することができる。一方、本発明の画像出力装置は、ログ画像の生成の処理の負荷によって画像の出力の処理が遅くなることを抑えることをログ画像の確認者が希望する場合には、１つのジョブの元画像に複数のページが含まれているときに、全てのページ分の出力画像の出力が終了した後でログ画像の生成を開始することができる。したがって、本発明の画像出力装置は、ログ画像の確認者の希望に適したタイミング、すなわち、従来より適切なタイミングでログ画像を生成することができる。
【０００８】
また、本発明の画像出力装置において、前記ログ生成優先モードは、１つのジョブの前記元画像に複数のページが含まれている場合に複数のページの前記ログ画像の生成を同時に実行することを許可するモードであり、前記画像出力優先モードは、１つのジョブの前記元画像に複数のページが含まれている場合に複数のページの前記ログ画像の生成を同時に実行することを禁止するモードであっても良い。
【０００９】
この構成により、本発明の画像出力装置は、画像の出力の処理が遅くなってでもログ画像の確認者がログ画像を即時に確認することを希望する場合には、１つのジョブの元画像に複数のページが含まれているときに、複数のページのログ画像の生成を同時に実行することを許可することができる。一方、本発明の画像出力装置は、ログ画像の生成の処理の負荷によって画像の出力の処理が遅くなることを抑えることをログ画像の確認者が希望する場合には、１つのジョブの元画像に複数のページが含まれているときに、複数のページのログ画像の生成を同時に実行することを禁止することができる。したがって、本発明の画像出力装置は、ログ画像の確認者の希望に更に適したタイミングでログ画像を生成することができる。
【００１０】
本発明の画像出力装置は、画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段と、前記ログ画像生成手段における前記ログ画像の生成のモードであるログ生成モードの指定を受け付けるログ生成モード受付手段とを備えており、前記ログ生成モード受付手段によって受け付けられる前記ログ生成モードには、１つのジョブの前記元画像に複数のページが含まれている場合に複数のページの前記ログ画像の生成を同時に実行することを許可するモードであるログ生成優先モードと、１つのジョブの前記元画像に複数のページが含まれている場合に複数のページの前記ログ画像の生成を同時に実行することを禁止するモードである画像出力優先モードとが含まれていることを特徴とする。
【００１１】
この構成により、本発明の画像出力装置は、ログ画像の確認者によるログ生成モードの指定に応じたタイミングでログ画像を生成することができる。すなわち、本発明の画像出力装置は、画像の出力の処理が遅くなってでもログ画像の確認者がログ画像を即時に確認することを希望する場合には、１つのジョブの元画像に複数のページが含まれているときに、複数のページのログ画像の生成を同時に実行することを許可することができる。一方、本発明の画像出力装置は、ログ画像の生成の処理の負荷によって画像の出力の処理が遅くなることを抑えることをログ画像の確認者が希望する場合には、１つのジョブの元画像に複数のページが含まれているときに、複数のページのログ画像の生成を同時に実行することを禁止することができる。したがって、本発明の画像出力装置は、ログ画像の確認者の希望に適したタイミング、すなわち、従来より適切なタイミングでログ画像を生成することができる。
【００１２】
また、本発明の画像出力装置において、前記ログ生成優先モードは、複数のジョブの前記ログ画像の生成を同時に実行することを許可するモードであり、前記画像出力優先モードは、複数のジョブの前記ログ画像の生成を同時に実行することを禁止するモードであっても良い。
【００１３】
この構成により、本発明の画像出力装置は、画像の出力の処理が遅くなってでもログ画像の確認者がログ画像を即時に確認することを希望する場合には、複数のジョブのログ画像の生成を同時に実行することを許可することができる。一方、本発明の画像出力装置は、ログ画像の生成の処理の負荷によって画像の出力の処理が遅くなることを抑えることをログ画像の確認者が希望する場合には、複数のジョブのログ画像の生成を同時に実行することを禁止することができる。したがって、本発明の画像出力装置は、ログ画像の確認者の希望に更に適したタイミングでログ画像を生成することができる。
【００１４】
本発明の画像出力装置は、画像を出力する画像出力部と、前記画像出力部によって出力される画像である出力画像の元になる画像である元画像を生成する元画像生成手段と、前記出力画像のログとしてのログ画像を前記元画像に基づいて生成するログ画像生成手段と、前記ログ画像生成手段における前記ログ画像の生成のモードであるログ生成モードの指定を受け付けるログ生成モード受付手段とを備えており、前記ログ生成モード受付手段によって受け付けられる前記ログ生成モードには、複数のジョブの前記ログ画像の生成を同時に実行することを許可するモードであるログ生成優先モードと、複数のジョブの前記ログ画像の生成を同時に実行することを禁止するモードである画像出力優先モードとが含まれていることを特徴とする。
【００１５】
この構成により、本発明の画像出力装置は、ログ画像の確認者によるログ生成モードの指定に応じたタイミングでログ画像を生成することができる。すなわち、本発明の画像出力装置は、画像の出力の処理が遅くなってでもログ画像の確認者がログ画像を即時に確認することを希望する場合には、複数のジョブのログ画像の生成を同時に実行することを許可することができる。一方、本発明の画像出力装置は、ログ画像の生成の処理の負荷によって画像の出力の処理が遅くなることを抑えることをログ画像の確認者が希望する場合には、複数のジョブのログ画像の生成を同時に実行することを禁止することができる。したがって、本発明の画像出力装置は、ログ画像の確認者の希望に適したタイミング、すなわち、従来より適切なタイミングでログ画像を生成することができる。
【００１６】
本発明の画像出力システムは、上述の画像出力装置と、前記ログ画像を記憶するログ画像記憶装置を備えているログ画像記憶サーバーとを備えており、前記画像出力装置は、前記ログ画像生成手段によって生成された前記ログ画像を前記ログ画像記憶サーバーに送信するログ画像送信手段を備えており、前記ログ画像記憶サーバーは、前記画像出力装置から送信されてきた前記ログ画像を前記ログ画像記憶装置に書き込むログ画像書込手段を備えていることを特徴とする。
【００１７】
この構成により、本発明の画像出力システムは、従来より適切なタイミングで生成されたログ画像をログ画像記憶サーバーが画像出力装置から受信して記憶するので、画像出力装置の利用者の出力画像のログ画像を、ログ画像記憶サーバーを使用する管理者であるログ画像の確認者に従来より適切なタイミングで確認させることができる。
【００１８】
本発明の画像出力プログラムは、画像を出力する画像出力部を備えている画像出力装置によって実行される画像出力プログラムであって、前記画像出力部によって出力される画像である出力画像の元になる画像である元画像を生成する元画像生成手段、前記出力画像のログとしてのログ画像を前記元画像に基づいて生成するログ画像生成手段、および、前記ログ画像生成手段における前記ログ画像の生成のモードであるログ生成モードの指定を受け付けるログ生成モード受付手段として、前記画像出力装置を機能させ、前記ログ生成モード受付手段によって受け付けられる前記ログ生成モードには、１つのジョブの前記元画像に複数のページが含まれている場合に前記画像出力部による１ページ分の前記出力画像の出力が終了する度にこのページの前記ログ画像の生成を開始するモードであるログ生成優先モードと、１つのジョブの前記元画像に複数のページが含まれている場合に前記画像出力部による全てのページ分の前記出力画像の出力が終了した後で前記ログ画像の生成を開始するモードである画像出力優先モードとが含まれていることを特徴とする。
【００１９】
この構成により、本発明の画像出力プログラムを実行する画像出力装置は、ログ画像の確認者によるログ生成モードの指定に応じたタイミングでログ画像を生成することができる。すなわち、本発明の画像出力プログラムを実行する画像出力装置は、画像の出力の処理が遅くなってでもログ画像の確認者がログ画像を即時に確認することを希望する場合には、１つのジョブの元画像に複数のページが含まれているときに、１ページ分の出力画像の出力が終了する度にこのページのログ画像の生成を開始することができる。一方、本発明の画像出力プログラムを実行する画像出力装置は、ログ画像の生成の処理の負荷によって画像の出力の処理が遅くなることを抑えることをログ画像の確認者が希望する場合には、１つのジョブの元画像に複数のページが含まれているときに、全てのページ分の出力画像の出力が終了した後でログ画像の生成を開始することができる。したがって、本発明の画像出力プログラムを実行する画像出力装置は、ログ画像の確認者の希望に適したタイミング、すなわち、従来より適切なタイミングでログ画像を生成することができる。
【００２０】
本発明の画像出力プログラムは、画像を出力する画像出力部を備えている画像出力装置によって実行される画像出力プログラムであって、前記画像出力部によって出力される画像である出力画像の元になる画像である元画像を生成する元画像生成手段、前記出力画像のログとしてのログ画像を前記元画像に基づいて生成するログ画像生成手段、および、前記ログ画像生成手段における前記ログ画像の生成のモードであるログ生成モードの指定を受け付けるログ生成モード受付手段として、前記画像出力装置を機能させ、前記ログ生成モード受付手段によって受け付けられる前記ログ生成モードには、１つのジョブの前記元画像に複数のページが含まれている場合に複数のページの前記ログ画像の生成を同時に実行することを許可するモードであるログ生成優先モードと、１つのジョブの前記元画像に複数のページが含まれている場合に複数のページの前記ログ画像の生成を同時に実行することを禁止するモードである画像出力優先モードとが含まれていることを特徴とする。
【００２１】
この構成により、本発明の画像出力プログラムを実行する画像出力装置は、ログ画像の確認者によるログ生成モードの指定に応じたタイミングでログ画像を生成することができる。すなわち、本発明の画像出力プログラムを実行する画像出力装置は、画像の出力の処理が遅くなってでもログ画像の確認者がログ画像を即時に確認することを希望する場合には、１つのジョブの元画像に複数のページが含まれているときに、複数のページのログ画像の生成を同時に実行することを許可することができる。一方、本発明の画像出力プログラムを実行する画像出力装置は、ログ画像の生成の処理の負荷によって画像の出力の処理が遅くなることを抑えることをログ画像の確認者が希望する場合には、１つのジョブの元画像に複数のページが含まれているときに、複数のページのログ画像の生成を同時に実行することを禁止することができる。したがって、本発明の画像出力プログラムを実行する画像出力装置は、ログ画像の確認者の希望に適したタイミング、すなわち、従来より適切なタイミングでログ画像を生成することができる。
【００２２】
本発明の画像出力プログラムは、画像を出力する画像出力部を備えている画像出力装置によって実行される画像出力プログラムであって、前記画像出力部によって出力される画像である出力画像の元になる画像である元画像を生成する元画像生成手段、前記出力画像のログとしてのログ画像を前記元画像に基づいて生成するログ画像生成手段、および、前記ログ画像生成手段における前記ログ画像の生成のモードであるログ生成モードの指定を受け付けるログ生成モード受付手段として、前記画像出力装置を機能させ、前記ログ生成モード受付手段によって受け付けられる前記ログ生成モードには、複数のジョブの前記ログ画像の生成を同時に実行することを許可するモードであるログ生成優先モードと、複数のジョブの前記ログ画像の生成を同時に実行することを禁止するモードである画像出力優先モードとが含まれていることを特徴とする。
【００２３】
この構成により、本発明の画像出力プログラムを実行する画像出力装置は、ログ画像の確認者によるログ生成モードの指定に応じたタイミングでログ画像を生成することができる。すなわち、本発明の画像出力プログラムを実行する画像出力装置は、画像の出力の処理が遅くなってでもログ画像の確認者がログ画像を即時に確認することを希望する場合には、複数のジョブのログ画像の生成を同時に実行することを許可することができる。一方、本発明の画像出力プログラムを実行する画像出力装置は、ログ画像の生成の処理の負荷によって画像の出力の処理が遅くなることを抑えることをログ画像の確認者が希望する場合には、複数のジョブのログ画像の生成を同時に実行することを禁止することができる。したがって、本発明の画像出力プログラムを実行する画像出力装置は、ログ画像の確認者の希望に適したタイミング、すなわち、従来より適切なタイミングでログ画像を生成することができる。
【発明の効果】
【００２４】
本発明の画像出力装置は、従来より適切なタイミングでログ画像を生成することができる。
【図面の簡単な説明】
【００２５】
【図１】本発明の一実施の形態に係る画像出力システムのブロック図である。
【図２】図１に示すＭＦＰのブロック図である。
【図３】図１に示すログ画像記憶サーバーのブロック図である。
【図４】ログ生成モード情報としてログ生成優先モードが指定されている場合にコピーのジョブを実行するときの図２に示すＭＦＰの動作のフローチャートである。
【図５】ログ生成モード情報としてログ生成優先モードが指定されている場合にコピーのジョブが複数実行されたときに図２に示すＭＦＰによって実行されるログ画像の生成のタイミングの一例を示す図である。
【図６】ログ生成モード情報として画像出力優先モードが指定されている場合にコピーのジョブを実行するときの図２に示すＭＦＰの動作のフローチャートである。
【図７】画像出力優先モードキューにログジョブが入っている場合の図２に示すＭＦＰの動作のフローチャートである。
【図８】ログ生成モード情報として画像出力優先モードが指定されている場合にコピーのジョブが複数実行されたときに図２に示すＭＦＰによって実行されるログ画像の生成のタイミングの一例を示す図である。
【発明を実施するための形態】
【００２６】
以下、本発明の一実施の形態について、図面を用いて説明する。
【００２７】
まず、本実施の形態に係る画像出力システム１０の構成について説明する。
【００２８】
図１は、本実施の形態に係る画像出力システム１０のブロック図である。
【００２９】
図１に示すように、画像出力システム１０は、ＭＦＰ（Ｍｕｌｔｉｆｕｎｃｔｉｏｎ  Ｐｅｒｉｐｈｅｒａｌ）２０を含む多数のＭＦＰと、ＭＦＰによって出力される画像である出力画像のログとしてのログ画像を記憶するログ画像記憶サーバー３０と、ＭＦＰに印刷データを送信可能であるコンピューター４０を含む多数のコンピューターとを備えている。多数のＭＦＰと、ログ画像記憶サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。同様に、多数のＭＦＰと、多数のコンピューターとは、ネットワーク１１を介して互いに通信可能に接続されている。なお、多数のＭＦＰは、それぞれ本発明の画像出力装置を構成している。
【００３０】
画像出力システム１０に含まれている多数のＭＦＰのそれぞれの構成は、ＭＦＰ２０の構成と同様である。したがって、以下においては、画像出力システム１０に含まれる多数のＭＦＰを代表してＭＦＰ２０について説明する。
【００３１】
また、画像出力システム１０に含まれている多数のコンピューターのそれぞれの構成は、コンピューター４０の構成と同様である。したがって、以下においては、画像出力システム１０に含まれる多数のコンピューターを代表してコンピューター４０について説明する。
【００３２】
図２は、ＭＦＰ２０のブロック図である。
【００３３】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００３４】
操作部２１は、表示部２２とともにタッチパネルを形成する入力デバイスを含んでいても良い。
【００３５】
プリンター２４は、画像を印刷によって出力する装置であり、本発明の画像出力部を構成している。
【００３６】
ファックス通信部２５は、画像をファックス送信によって出力する装置であり、本発明の画像出力部を構成している。
【００３７】
ネットワーク通信部２６は、画像を電子メールの送信などのネットワーク１１を介した電子的な送信によって出力する装置であり、本発明の画像出力部を構成している。
【００３８】
記憶部２７は、ＭＦＰ２０によって実行される画像出力プログラム２７ａを記憶している。画像出力プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００３９】
また、記憶部２７は、プリンター２４、ファックス通信部２５またはネットワーク通信部２６によって出力される画像である出力画像の元になる画像である元画像２７ｂを複数記憶することが可能である。元画像２７ｂは、例えばＪＰＥＧ（Ｊｏｉｎｔ  Ｐｈｏｔｏｇｒａｐｈｉｃ  Ｅｘｐｅｒｔｓ  Ｇｒｏｕｐ）形式の画像である。
【００４０】
また、記憶部２７は、ログ画像の生成のモードを示すログ生成モード情報２７ｃを記憶することが可能である。ログ生成モード情報２７ｃとしては、画像の出力の処理が遅くなってでもログ画像の確認者がログ画像を即時に確認することを希望する場合に選択されるモードであるログ生成優先モードと、ログ画像の生成の処理の負荷によって画像の出力の処理が遅くなることを抑えることをログ画像の確認者が希望する場合に選択されるモードである画像出力優先モードとの何れかが指定されている。
【００４１】
また、記憶部２７は、画像出力優先モードにおいて使用されるキューである画像出力優先モードキュー２７ｄを記憶することが可能である。
【００４２】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００４３】
制御部２８は、記憶部２７に記憶されている画像出力プログラム２７ａを実行することによって、元画像２７ｂを記憶部２７上に生成する元画像生成手段２８ａ、出力画像のログとしてのログ画像を元画像２７ｂに基づいて生成するログ画像生成手段２８ｂ、ログ画像の生成のモードの指定を受け付けるログ生成モード受付手段２８ｃ、および、ログ画像生成手段２８ｂによって生成されたログ画像をログ画像記憶サーバー３０（図１参照。）に送信するログ画像送信手段２８ｄとして機能する。
【００４４】
ログ画像生成手段２８ｂによって生成されたログ画像は、例えばＰＤＦ（Ｐｏｒｔａｂｌｅ  Ｄｏｃｕｍｅｎｔ  Ｆｏｒｍａｔ）形式の画像である。
【００４５】
図３は、ログ画像記憶サーバー３０のブロック図である。
【００４６】
図３に示すように、ログ画像記憶サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶装置である記憶部３４と、ログ画像記憶サーバー３０全体を制御する制御部３５とを備えている。ログ画像記憶サーバー３０は、例えばＰＣ（Ｐｅｒｓｏｎａｌ  Ｃｏｍｐｕｔｅｒ）などのコンピューターによって構成されている。
【００４７】
記憶部３４は、ログ画像記憶サーバー３０用のプログラムであるサーバー用プログラム３４ａを記憶している。サーバー用プログラム３４ａは、ログ画像記憶サーバー３０の製造段階でログ画像記憶サーバー３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体からログ画像記憶サーバー３０に追加でインストールされても良いし、ネットワーク１１上からログ画像記憶サーバー３０に追加でインストールされても良い。
【００４８】
記憶部３４は、ＭＦＰ２０から送信されてきたログ画像３４ｂを記憶することが可能である。すなわち、記憶部３４は、本発明のログ画像記憶装置を構成している。
【００４９】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００５０】
制御部３５は、記憶部３４に記憶されているサーバー用プログラム３４ａを実行することによって、ＭＦＰ２０から送信されてきたログ画像３４ｂを記憶部３４に書き込むログ画像書込手段３５ａとして機能する。
【００５１】
図１に示すコンピューター４０は、例えばＰＣである。
【００５２】
次に、画像出力システム１０の動作について説明する。
【００５３】
まず、ログ画像の生成のモードの指定を受け付ける場合のＭＦＰ２０の動作について説明する。
【００５４】
ＭＦＰ２０の制御部２８のログ生成モード受付手段２８ｃは、ログ画像の生成のモードとしてログ生成優先モードおよび画像出力優先モードの何れかが操作部２１を介して指定されると、指定されたモードを受け付けて、記憶部２７上のログ生成モード情報２７ｃに記憶させる。すなわち、ログ生成モード受付手段２８ｃは、ログ生成優先モードが指定された場合にログ生成モード情報２７ｃとしてログ生成優先モードを書き込み、画像出力優先モードが指定された場合にログ生成モード情報２７ｃとして画像出力優先モードを書き込む。
【００５５】
次に、ログ生成モード情報２７ｃとしてログ生成優先モードが指定されている場合にコピーのジョブを実行するときのＭＦＰ２０の動作について説明する。
【００５６】
図４は、ログ生成モード情報２７ｃとしてログ生成優先モードが指定されている場合にコピーのジョブを実行するときのＭＦＰ２０の動作のフローチャートである。
【００５７】
ＭＦＰ２０の制御部２８は、ログ生成モード情報２７ｃとしてログ生成優先モードが指定されている場合に操作部２１を介してコピーの指示を受けると、図４に示す動作を開始する。
【００５８】
図４に示すように、制御部２８の元画像生成手段２８ａは、スキャナー２３によって原稿から読み取られた画像に基づいて元画像２７ｂを記憶部２７上に生成することを開始する（Ｓ１０１）。ここで、元画像生成手段２８ａは、生成した元画像２７ｂを、この元画像２７ｂが生成された時点でＭＦＰ２０にログインしている利用者のＩＤ、すなわち、この元画像２７ｂの生成を指示した利用者のＩＤに関連付けて記憶部２７に書き込む。
【００５９】
次いで、制御部２８は、Ｓ１０１において開始された動作によって記憶部２７上に生成された元画像２７ｂに基づいた出力画像をプリンター２４によって記録媒体に印刷することを開始する（Ｓ１０２）。
【００６０】
次いで、制御部２８は、１ページ分の印刷が終了したと判断するまで、１ページ分の印刷が終了したか否かを判断する（Ｓ１０３）。
【００６１】
制御部２８のログ画像生成手段２８ｂは、１ページ分の印刷が終了したとＳ１０３において判断されると、記憶部２７上のこの１ページ分の元画像２７ｂに基づいて、１ページ分のログ画像の生成を開始する（Ｓ１０４）。ここで、ログ画像生成手段２８ｂは、生成したログ画像を、元画像２７ｂに関連付けられていた利用者のＩＤと同一のＩＤに関連付けて記憶部２７に書き込む。
【００６２】
次いで、制御部２８は、Ｓ１０１において開始された動作によって記憶部２７上に生成された元画像２７ｂの全ページ分の印刷が終了したか否かを判断する（Ｓ１０５）。
【００６３】
制御部２８は、元画像２７ｂの全ページ分の印刷が終了していないとＳ１０５において判断すると、再びＳ１０３の処理に戻る。
【００６４】
制御部２８は、元画像２７ｂの全ページ分の印刷が終了したとＳ１０５において判断すると、Ｓ１０４において開始された動作によって記憶部２７上に生成された元画像２７ｂの全ページ分のログ画像の生成が終了したと判断するまで、元画像２７ｂの全ページ分のログ画像の生成が終了したか否かを判断する（Ｓ１０６）。
【００６５】
制御部２８は、元画像２７ｂの全ページ分のログ画像の生成が終了したとＳ１０６において判断すると、このジョブの元画像２７ｂを記憶部２７上から削除して（Ｓ１０７）、図４に示す動作を終了する。
【００６６】
図５は、ログ生成モード情報２７ｃとしてログ生成優先モードが指定されている場合にコピーのジョブが複数実行されたときにＭＦＰ２０によって実行されるログ画像の生成のタイミングの一例を示す図である。
【００６７】
ＭＦＰ２０は、ログ生成モード情報２７ｃとしてログ生成優先モードが指定されている場合に、図５に示すように、３ページのコピーのジョブ（以下「コピージョブ１」と言う。）と、２ページのコピーのジョブ（以下「コピージョブ２」と言う。）とを実行するとき、コピージョブ１の１ページ目の画像の印刷が終了した時点で、コピージョブ１のログ画像の生成のジョブ（以下「ログジョブ１」と言う。）の１ページ目のログ画像の生成を開始する（ｔ１６１）。
【００６８】
次いで、ＭＦＰ２０は、コピージョブ１の２ページ目の画像の印刷が終了した時点で、ログジョブ１の２ページ目のログ画像の生成を開始する（ｔ１６２）。このように、ＭＦＰ２０は、ログ生成優先モードにおいて、１つのコピージョブの元画像２７ｂに複数のページが含まれている場合にプリンター２４による１ページ分の出力画像の印刷が終了する度にこのページのログ画像の生成を開始する（Ｓ１０３でＹＥＳおよびＳ１０４）。
【００６９】
次いで、ＭＦＰ２０は、コピージョブ１の３ページ目の画像の印刷が終了した時点で、ログジョブ１の３ページ目のログ画像の生成を開始する（ｔ１６３）。このとき、ＭＦＰ２０は、ログジョブ１の２ページ目のログ画像の生成の途中である。このように、ＭＦＰ２０は、ログ生成優先モードにおいて、１つのコピージョブの元画像２７ｂに複数のページが含まれている場合に複数のページのログ画像の生成を同時に実行することを許可する（Ｓ１０３でＹＥＳおよびＳ１０４）。
【００７０】
次いで、ＭＦＰ２０は、コピージョブ２の１ページ目の画像の印刷が終了した時点で、コピージョブ２のログ画像の生成のジョブ（以下「ログジョブ２」と言う。）の１ページ目のログ画像の生成を開始する（ｔ１６４）。このとき、ＭＦＰ２０は、ログジョブ１の３ページ目のログ画像の生成の途中である。このように、ＭＦＰ２０は、ログ生成優先モードにおいて、複数のコピージョブのログ画像の生成を同時に実行することを許可する（Ｓ１０３でＹＥＳおよびＳ１０４）。
【００７１】
最後に、ＭＦＰ２０は、コピージョブ２の２ページ目の画像の印刷が終了した時点で、ログジョブ２の２ページ目のログ画像の生成を開始する（ｔ１６５）。
【００７２】
次に、ログ生成モード情報２７ｃとして画像出力優先モードが指定されている場合にコピーのジョブを実行するときのＭＦＰ２０の動作について説明する。
【００７３】
図６は、ログ生成モード情報２７ｃとして画像出力優先モードが指定されている場合にコピーのジョブを実行するときのＭＦＰ２０の動作のフローチャートである。
【００７４】
ＭＦＰ２０の制御部２８は、ログ生成モード情報２７ｃとして画像出力優先モードが指定されている場合に操作部２１を介してコピーの指示を受けると、図６に示す動作を開始する。
【００７５】
図６に示すように、制御部２８の元画像生成手段２８ａは、スキャナー２３によって原稿から読み取られた画像に基づいて元画像２７ｂを記憶部２７上に生成することを開始する（Ｓ２０１）。ここで、元画像生成手段２８ａは、生成した元画像２７ｂを、この元画像２７ｂが生成された時点でＭＦＰ２０にログインしている利用者のＩＤ、すなわち、この元画像２７ｂの生成を指示した利用者のＩＤに関連付けて記憶部２７に書き込む。
【００７６】
次いで、制御部２８は、Ｓ２０１において開始された動作によって記憶部２７上に生成された元画像２７ｂに基づいた出力画像をプリンター２４によって記録媒体に印刷することを開始する（Ｓ２０２）。
【００７７】
次いで、制御部２８は、Ｓ２０１において開始された動作によって記憶部２７上に生成された元画像２７ｂの全ページ分の印刷が終了したと判断するまで、元画像２７ｂの全ページ分の印刷が終了したか否かを判断する（Ｓ２０３）。
【００７８】
制御部２８のログ画像生成手段２８ｂは、元画像２７ｂの全ページ分の印刷が終了したとＳ２０３において判断されると、このジョブのログ画像の生成のジョブ（以下「ログジョブ」と言う。）を記憶部２７上の画像出力優先モードキュー２７ｄに入れて（Ｓ２０４）、図６に示す動作を終了する。
【００７９】
図７は、画像出力優先モードキュー２７ｄにログジョブが入っている場合のＭＦＰ２０の動作のフローチャートである。
【００８０】
ＭＦＰ２０の制御部２８は、画像出力優先モードキュー２７ｄにログジョブが入っている場合、図７に示す動作を開始する。
【００８１】
図７に示すように、制御部２８のログ画像生成手段２８ｂは、画像出力優先モードキュー２７ｄに入っている最初のログジョブを対象にする（Ｓ２３１）。
【００８２】
次いで、ログ画像生成手段２８ｂは、記憶部２７上のこのログジョブの元画像２７ｂに基づいて、１ページ分のログ画像の生成を開始する（Ｓ２３２）。ここで、ログ画像生成手段２８ｂは、生成したログ画像を、元画像２７ｂに関連付けられていた利用者のＩＤと同一のＩＤに関連付けて記憶部２７に書き込む。
【００８３】
次いで、制御部２８は、１ページ分のログ画像の生成が終了したと判断するまで、１ページ分のログ画像の生成が終了したか否かを判断する（Ｓ２３３）。
【００８４】
制御部２８は、１ページ分のログ画像の生成が終了したとＳ２３３において判断すると、現在対象にしているログジョブの元画像２７ｂの全ページ分のログ画像の生成が終了したか否かを判断する（Ｓ２３４）。
【００８５】
制御部２８は、元画像２７ｂの全ページ分のログ画像の生成が終了していないとＳ２３４において判断すると、再びＳ２３２の処理に戻る。
【００８６】
一方、制御部２８は、元画像２７ｂの全ページ分のログ画像の生成が終了したとＳ２３４において判断すると、対象のログジョブを画像出力優先モードキュー２７ｄから削除するとともに、このログジョブの元画像２７ｂを記憶部２７上から削除する（Ｓ２３５）。
【００８７】
次いで、制御部２８は、記憶部２７上の画像出力優先モードキュー２７ｄにログジョブが存在するか否かを判断する（Ｓ２３６）。
【００８８】
制御部２８は、画像出力優先モードキュー２７ｄにログジョブが存在するとＳ２３６において判断すると、再びＳ２３１の処理に戻る。
【００８９】
一方、制御部２８は、画像出力優先モードキュー２７ｄにログジョブが存在しないとＳ２３６において判断すると、図７に示す動作を終了する。
【００９０】
図８は、ログ生成モード情報２７ｃとして画像出力優先モードが指定されている場合にコピーのジョブが複数実行されたときにＭＦＰ２０によって実行されるログ画像の生成のタイミングの一例を示す図である。
【００９１】
ＭＦＰ２０は、ログ生成モード情報２７ｃとして画像出力優先モードが指定されている場合に、図８に示すように、図５に示すコピージョブ１およびコピージョブ２と同様のコピージョブ１およびコピージョブ２を実行するとき、コピージョブ１の全てのページの画像の印刷が終了した時点、すなわち、コピージョブ１が終了した時点で、ログジョブ１の１ページ目のログ画像の生成を開始する（ｔ２６１）。このとき、コピージョブ１の１ページ目の画像の印刷が終了してから時間が経過している。このように、ＭＦＰ２０は、画像出力優先モードにおいて、１つのコピージョブの元画像２７ｂに複数のページが含まれている場合にプリンター２４による全てのページ分の出力画像の印刷が終了した後でこのコピージョブのログ画像の生成を開始する（Ｓ２０３でＹＥＳおよびＳ２０４）。
【００９２】
次いで、ＭＦＰ２０は、ログジョブ１の１ページ目のログ画像の生成が終了した時点で、ログジョブ１の２ページ目のログ画像の生成を開始する（ｔ２６２）。ここで、コピージョブ１の２ページ目の画像の印刷は、ｔ２６１の時点においても既に終了している。このように、ＭＦＰ２０は、画像出力優先モードにおいて、１つのコピージョブの元画像２７ｂに複数のページが含まれている場合に複数のページのログ画像の生成を同時に実行することを禁止する（Ｓ２３２、Ｓ２３３およびＳ２３４）。
【００９３】
次いで、ＭＦＰ２０は、ログジョブ１の２ページ目のログ画像の生成が終了した時点で、ログジョブ１の３ページ目のログ画像の生成を開始する（ｔ２６３）。
【００９４】
次いで、ＭＦＰ２０は、ログジョブ１の３ページ目のログ画像の生成が終了した時点で、ログジョブ２の１ページ目のログ画像の生成を開始する（ｔ２６４）。ここで、コピージョブ２の１ページ目の画像の印刷は、ｔ２６３の時点においても既に終了している。このように、ＭＦＰ２０は、画像出力優先モードにおいて、複数のコピージョブのログ画像の生成を同時に実行することを禁止する（Ｓ２３１、Ｓ２３２およびＳ２３６）。
【００９５】
最後に、ＭＦＰ２０は、ログジョブ２の１ページ目のログ画像の生成が終了した時点で、ログジョブ２の２ページ目のログ画像の生成を開始する（ｔ２６５）。
【００９６】
なお、図４に示す処理または図７に示す処理において生成されたログ画像と、このログ画像に関連付けられている利用者のＩＤとは、例えば１時間毎などの所定のタイミングで、ＭＦＰ２０の制御部２８のログ画像送信手段２８ｄによってネットワーク通信部２６を介してネットワーク１１経由でログ画像記憶サーバー３０に送信される。
【００９７】
そして、ログ画像記憶サーバー３０の制御部３５がネットワーク通信部３３を介してネットワーク１１経由でログ画像と、このログ画像に関連付けられている利用者のＩＤとを受信すると、制御部３５のログ画像書込手段３５ａは、受信したログ画像をログ画像３４ｂとして記憶部３４に書き込むとともに、受信した利用者のＩＤをこのログ画像３４ｂに関連付けて記憶部３４に書き込む。
【００９８】
なお、以上においては、出力画像の出力の例としてコピーのジョブについて説明している。しかしながら、ＭＦＰ２０がコンピューター４０から受信した印刷データに基づいてプリンター２４によって出力画像を印刷によって出力するプリントのジョブなど、コピーのジョブ以外のジョブによって出力画像を印刷によって出力する場合も同様である。また、ＭＦＰ２０がファックス通信部２５によって画像をファックス送信によって出力するファックス送信のジョブ、ＭＦＰ２０がネットワーク通信部２６によって画像をネットワーク１１を介した電子的な送信によって出力する送信のジョブなど、出力画像を印刷以外の方法によって出力するジョブの場合も同様である。
【００９９】
また、以上においては、コピーのジョブが同時に複数実行される場合について説明している。しかしながら、コピーのジョブと、送信のジョブとが同時に複数実行される場合など、異なる種類のジョブが同時に実行される場合についても同様である。
【０１００】
以上に説明したように、画像出力システム１０のＭＦＰ２０は、図５および図８に示すように、ログ画像の確認者によるログ生成モードの指定に応じたタイミングでログ画像を生成することができる。したがって、ＭＦＰ２０は、ログ画像の確認者の希望に適したタイミング、すなわち、従来より適切なタイミングでログ画像を生成することができる。
【０１０１】
すなわち、ＭＦＰ２０は、画像の出力の処理が遅くなってでもログ画像の確認者がログ画像を即時に確認することを希望する場合、すなわち、ログ生成モード情報２７ｃとしてログ生成優先モードが指定されている場合には、１つのジョブの元画像２７ｂに複数のページが含まれているときに、１ページ分の出力画像の出力が終了する度にこのページのログ画像の生成を開始することができる。また、ＭＦＰ２０は、ログ生成モード情報２７ｃとしてログ生成優先モードが指定されている場合には、１つのジョブの元画像２７ｂに複数のページが含まれているときに、複数のページのログ画像の生成を同時に実行することを許可することができる。また、ＭＦＰ２０は、ログ生成モード情報２７ｃとしてログ生成優先モードが指定されている場合には、複数のジョブのログ画像の生成を同時に実行することを許可することができる。したがって、ＭＦＰ２０は、ログ生成モード情報２７ｃとしてログ生成優先モードが指定されている場合、例えば、多数のページが含まれている画像の出力のジョブが同時に多数実行されるときに、ログ画像の生成の処理の負荷によって画像の出力の処理が遅くなるものの、出力画像のログ画像を確認者に即時に確認させることができる。
【０１０２】
一方、ＭＦＰ２０は、ログ画像の生成の処理の負荷によって画像の出力の処理が遅くなることを抑えることをログ画像の確認者が希望する場合、すなわち、ログ生成モード情報２７ｃとして画像出力優先モードが指定されている場合には、１つのジョブの元画像２７ｂに複数のページが含まれているときに、全てのページ分の出力画像の出力が終了した後でログ画像の生成を開始することができる。また、ＭＦＰ２０は、ログ生成モード情報２７ｃとして画像出力優先モードが指定されている場合には、１つのジョブの元画像２７ｂに複数のページが含まれているときに、複数のページのログ画像の生成を同時に実行することを禁止することができる。また、ＭＦＰ２０は、ログ生成モード情報２７ｃとして画像出力優先モードが指定されている場合には、複数のジョブのログ画像の生成を同時に実行することを禁止することができる。したがって、ＭＦＰ２０は、ログ生成モード情報２７ｃとして画像出力優先モードが指定されている場合、例えば、多数のページが含まれている画像の出力のジョブが同時に多数実行されるときに、出力画像のログ画像を確認者に即時に確認させることができないものの、ログ画像の生成の処理の負荷によって画像の出力の処理が遅くなることを抑えることができる。
【０１０３】
画像出力システム１０は、従来より適切なタイミングで生成されたログ画像をログ画像記憶サーバー３０がＭＦＰ２０から受信して記憶するので、ＭＦＰ２０の利用者の出力画像のログ画像を、ログ画像記憶サーバー３０を使用する管理者であるログ画像の確認者に従来より適切なタイミングで確認させることができる。そして、例えば出力画像によって情報漏洩があった場合には、管理者は、漏洩元である利用者を、ログ画像記憶サーバー３０上のログ画像３４ｂに関連付けられている利用者のＩＤに基づいて特定することができる。
【０１０４】
なお、ＭＦＰ２０は、本実施の形態において、ログ生成モード情報２７ｃとしてログ生成優先モードが指定されている場合に、「１つのジョブの元画像に複数のページが含まれているときに、１ページ分の出力画像の出力が終了する度にこのページのログ画像の生成を開始する」、「１つのジョブの元画像に複数のページが含まれているときに、複数のページのログ画像の生成を同時に実行することを許可する」および「複数のジョブのログ画像の生成を同時に実行することを許可する」という３つの条件でログ画像の生成を実行するようになっている。しかしながら、ＭＦＰ２０は、ログ生成モード情報２７ｃとしてログ生成優先モードが指定されている場合に、これらの３つの条件のうち少なくとも１つの条件でログ画像の生成を実行するようになっていれば良い。
【０１０５】
同様に、ＭＦＰ２０は、本実施の形態において、ログ生成モード情報２７ｃとして画像出力優先モードが指定されている場合に、「１つのジョブの元画像に複数のページが含まれているときに、全てのページ分の出力画像の出力が終了した後でログ画像の生成を開始する」、「１つのジョブの元画像に複数のページが含まれているときに、複数のページのログ画像の生成を同時に実行することを禁止する」および「複数のジョブのログ画像の生成を同時に実行することを禁止する」という３つの条件でログ画像の生成を実行するようになっている。しかしながら、ＭＦＰ２０は、ログ生成モード情報２７ｃとして画像出力優先モードが指定されている場合に、これらの３つの条件のうち少なくとも１つの条件でログ画像の生成を実行するようになっていれば良い。
【０１０６】
ＭＦＰ２０は、本実施の形態において、ログ画像生成手段２８ｂによって生成されたログ画像を、記憶部２７に一旦記憶させた後で、ログ画像送信手段２８ｄによってログ画像記憶サーバー３０に送信するようになっている。しかしながら、ＭＦＰ２０は、ログ画像生成手段２８ｂによって生成されたログ画像を、記憶部２７に記憶させることなく、ログ画像送信手段２８ｄによってログ画像記憶サーバー３０に送信するようになっていても良い。
【０１０７】
画像出力システム１０は、本実施の形態において本発明の画像出力装置としてＭＦＰを備えているが、プリンター専用機、コピー専用機、ＦＡＸ専用機など、ＭＦＰ以外の画像形成装置を備えていても良い。
【符号の説明】
【０１０８】
１０  画像出力システム
２０  ＭＦＰ（画像出力装置）
２４  プリンター（画像出力部）
２５  ファックス通信部（画像出力部）
２６  ネットワーク通信部（画像出力部）
２７ａ  画像出力プログラム
２７ｂ  元画像
２７ｃ  ログ生成モード情報
２８ａ  元画像生成手段
２８ｂ  ログ画像生成手段
２８ｃ  ログ生成モード受付手段
２８ｄ  ログ画像送信手段
３０  ログ画像記憶サーバー
３４  記憶部（ログ画像記憶装置）
３４ｂ  ログ画像
３５ａ  ログ画像書込手段
【図１】
2014109908.tif 000003
【図２】
2014109908.tif 000004
【図３】
2014109908.tif 000005
【図４】
2014109908.tif 000006
【図５】
2014109908.tif 000007
【図６】
2014109908.tif 000008
【図７】
2014109908.tif 000009
【図８】
2014109908.tif 000010